(57)【要約】【課題】バンカーショットによる砂の抵抗を軽減するだけでなく、ゴルフボールの打撃時の飛距離を伸ばすことのできるゴルフクラブのヘッドを提供する。【解決手段】ゴルフクラブのヘッド１のフェース部２に貫通孔５を設け、この貫通孔５の前面に空気又は砂が通過する矩形孔７１を設けた可撓性の金属材料からなるプレート７を設けフェース部２とゴルフボール間に生じる空気や砂の抵抗を軽減し、フェース部２に設けたプレート７のインパクト領域Ｘではプレート７の厚さを他の部分より薄くすることで、打撃時におけるゴルフボールとの反発力を生じるようにする。【選択図】図２
2008194116.tif 000002
【特許請求の範囲】
【請求項１】
フェースに一または複数の貫通孔を設けたことを特徴とするゴルフクラブのヘッド。
【請求項２】
フェースの打球部の一側または両側に一または複数の貫通孔を設けたことを特徴とするゴルフクラブのヘッド。
【請求項３】
前記フェースの打球部に反発力を利用したゴルフボールの飛距離向上手段を設けたことを特徴とする請求項１または２記載のゴルフクラブのヘッド。
【請求項４】
前記飛距離向上手段は、弾性体又は可撓性体であることを特徴とする請求項３記載のゴルフクラブのヘッド。
【請求項５】
前記飛距離向上手段は、可撓性のあるワイヤーを格子または網目に構成したものであることを特徴とする請求項３記載のゴルフクラブのヘッド。
【発明の詳細な説明】
【技術分野】
【０００１】
本発明は、ゴルフクラブにおけるヘッドの構造に関するものである。
【背景技術】
【０００２】
ゴルフ競技場であるゴルフコースでは、ゲーム性を持たせるために、池や砂地のバンカー等の障害が設けられており、ゴルフプレイヤーにとってはかかる障害を克服することもゴルフ競技において醍醐味になっているといえる。
【０００３】
しかし、前記バンカーに入ったゴルフボールをバンカー外に出すバンカーショットは熟練を有する。例えばバンカーに入ったゴルフボールを、バンカーから出す場合、図１に示すようにゴルフクラブのヘッド１のソール部３を、バンカー６の砂にめり込んだゴルフボール４の約３ｃｍ手前から矢印方向に砂を巻き込みながらゴルフボール４を弾き出すエクスプロージョンショットが最適と謂われているが、ビギナーゴルフプレイヤーにとっては難しく、ゴルフボール４を直接叩いたり、あるいは、特に女性等の非力なゴルフプレイヤーは、ゴルフボール４からかなり手前で砂を叩いてしまうので、ゴルフボール４とヘッド１のフェイス部２間に砂が多く入り、ゴルフボール４をバンカー６から出すのに必要なスピンと打撃力を与えることができないため、なかなかバンカー６からゴルフボール４を出すことができず、打数が多くなったり、打球が意外な方向に逸してしまい、他のバンカーに打ち込んでしまうことは周知の通りである。
【０００４】
また、一般的にゴルフクラブのゴルフクラブのヘッドのフェース部の表面は、通称フェースラインと呼ばれる削り込み、またはプレス加工等により形成されていて、これがゴルフボールのインパクト時にフェース面とゴルフボールとの間に適度な摩擦を生じさせると共に、打撃の方向性及び飛距離の安定性を図りつつ、ゴルフボールにスピンをも与える凹状の溝等の様々な意匠があるものの、基本的に平面で構成されているため、ゴルフボールをかなり手前で打つバンカーショットの場合は、ゴルフボールとフェース部間に入り込んだ砂が逃げにくく、従って上記の問題が著しくなる。そしてこの問題は、バンカーで使用する専用のサンドウェッジと呼ばれるフェース面が広く、ソールが砂に深く入りこまないようソールが大きいバウンスソールを有するヘッドをも持つゴルフクラブでは一層顕著であった。
【０００５】
また、ゴルフコースはゴルフ場によって様々な形態があり、バンカー等の障害が設置されている位置も様々であり、カップが設置されているグリーン周辺だけでなくスタート地点から近くに設置されているクロスバンカーにゴルフボールが入ってしまった場合は、ゴルフボールをカップに入れるまでの打点数が設定数より少ない数でスコアを競うゴルフ競技においては、ゴルフボールをバンカーから出すだけでなく、飛距離も出したい場合に、サンドウェッジではないゴルフクラブを使用する場合があり、かかる場合も砂の抵抗が問題となっていた。
【非特許文献１】「２００３年版ゴルフ用品総合カタログ」，株式会社ユニバーサルゴルフ社，平成１５年３月１日
【発明の開示】
【発明が解決しようとする課題】
【０００６】
そこで、本発明は、バンカーショットにおける砂の抵抗を軽減するだけでなく、ゴルフボールの打撃時の飛距離を伸ばすことのできるゴルフクラブのヘッドを提供することを課題とするものである。
【課題を解決するための手段】
【０００７】
本発明は、上記の課題を解決するためになされたもので、第１の発明は、フェースに一または複数の貫通孔を設けたことを特徴とするゴルフクラブのヘッドである。
【０００８】
第２の発明は、フェースの打球部の一側または両側に一または複数の貫通孔を設けたことを特徴とするゴルフクラブのヘッドである。
【０００９】
第３の発明は、第１または第２の発明において、前記フェースの打球部に反発力を利用したゴルフボールの飛距離向上手段を設けたことを特徴とするゴルフクラブのヘッドである。
【００１０】
第４の発明は、第３の発明において、前記飛距離向上手段は、弾性体又は可撓性体であることを特徴とするゴルフクラブのヘッド。
【００１１】
第５の発明は、第３の発明において、前記飛距離向上手段は、可撓性のあるワイヤーを格子または網目に構成したものであることを特徴とするゴルフクラブのヘッドである。
【発明の効果】
【００１２】
本発明によれば、ゴルフクラブのヘッドのフェースに一又は複数の貫通孔を設けることにより、バンカーショット時に砂が前記貫通孔を通って後方へ排出されヘッドのフェースとゴルフボール間の砂の抵抗が軽減されるので、非力な女性やビギナーゴルフプレイヤーでも最適に近いエクスプロージョンショットを打つことができ、スピンがかかった打球を打つことができる。また、前記貫通孔は砂だけでなく空気も通すことができるので、バンカー以外の状況では空気抵抗を減らし、スイング時のゴルフクラブの振れが少なくなり、ヘッドスピードが上がるため打球の飛距離を伸ばす効果がある。
【００１３】
また、前記貫通孔に加えて、フェース面に弾性体又は可撓性の金属板等や可撓性のワイヤーを格子又は網目状に設けた飛距離向上手段によりフェース面とゴルフボールのインパクト時に前記飛距離向上手段の反発作用により打球に反発力が付加されるため、打球の飛距離を更に伸ばす効果がある。
【実施例１】
【００１４】
図２は本発明の実施例１を示す正面図、図３は図２中に示すＡ−Ａ線断面図で、１はフェース部２側から背面側に貫通孔５を設けたゴルフクラブのヘッド、７は前記貫通孔５のフェース部２側前面に取付けた３本の矩形孔７１を横方向に設けた可撓性の金属材料からなるプレート、３はヘッドのソール部である。
【００１５】
フェース２部に設けたプレート７は、図２に示すゴルフボールのインパクト領域Ｘにおいて他の部分より薄く加工されており、ゴルフボールが前記インパクト領域Ｘ内に当ったときは、インパクト領域Ｘのプレート７が撓み、その反発作用によってゴルフボールを打撃方向へと反発力が付加され、打球の飛距離を伸ばす効果がある。またゴルフクラブのスイング時には、プレート７の矩形孔７１から貫通孔５を通して空気が通過することによって空気抵抗が減少し、ヘッド１のトップスピードが上がり打撃力が増すため、打球の飛距離向上に効果がある。またバンカーショット時には前記の空気と同様に、バンカーの砂がフェースに設けた矩形孔７１から貫通孔５を通ることにより、ゴルフボールとフェース部間の砂の抵抗を低減し、最適に近いエクスプロージョンショットを行うことができる。
【００１６】
なお、上記実施例１ではプレート７に矩形孔７１を設けたが、プレート７に設ける孔の形状、位置、大きさ及び数はこれらに限定されないことは勿論である。
【実施例２】
【００１７】
図４は本発明の他の実施例を示す正面図、図５は図４中に示すＢ−Ｂ線断面図で、１はフェース部２側から背面側に貫通孔５を設けたゴルフクラブのヘッド、７’は貫通孔５のフェース部２側前面に取付けた矩形状孔７２に可撓性の金属ワイヤー７３を網目状に設けたプレート、３はソール部である。
【００１８】
この実施例２のゴルフクラブは、ゴルフボールのショット時には、フェースの打球部２’に設けたプレート７’の網目状に設けられた金属ワイヤー７３にゴルフボールが当ると、金属ワイヤー７３が撓むとともに、その反発作用によってゴルフボールを打撃方向へと反発力が付加され、前記実施例１と同様に打球の飛距離を伸ばす効果がある。また金属ワイヤー７３は網目状に構成されているため、矩形状孔７２から貫通孔５を通して空気が通過することによってヘッド１への空気抵抗が減少し、前記実施例１と同様にヘッド１のトップスピードが上がり打撃力が増すため、打球の飛距離向上に効果がある。またバンカーショット時にも、バンカーの砂がプレート７’の矩形状孔７２から貫通孔５を通ることにより、ゴルフボールとフェース部間の砂の抵抗を低減し、最適に近いエクスプロージョンショットを行うことができる。
【００１９】
なお、本実施例２では、可撓性の金属ワイヤーとしたが、可撓性であればその材質はナイロン等の合成樹脂のガットでもよく、材質や網目の形状の構成については実施例に限定されないことは勿論である。
【実施例３】
【００２０】
図６は本発明の他の実施例を示す正面図、図７は図６中に示すＣ−Ｃ線断面図、図８は図６中に示すＤ−Ｄ線断面図で、１はフェース部２”側から背面側に貫通孔５’を設けたゴルフクラブのヘッド、７”は前記貫通孔５’のフェース部２”側前面に一部を薄厚にした可撓性の金属材料からなるプレート、７４，７４はプレート７”を貫通孔５’のフェース部２”側の前面中央に配置したときにプレート７”の両側に形成される透孔、３はヘッドのソール部である。
【００２１】
前記実施例１〜２はヘッドのフェース部の打球面に設けたプレートに空気又は砂が通る孔を設けたものであるが、フェースの打球面に孔を設けたゴルフクラブは、公式のゴルフ競技のルールでは使用できないので、練習用のゴルフクラブヘッドに使用されるものである。
【００２２】
そこで実施例３は公式のゴルフ競技にでも使用できるようにヘッド１に大きな貫通孔５’を設け、その中央にフェースの打球面となるプレート７”を設けての両側に透孔７４，７４が形成されるようにしたものである。
【００２３】
なお、プレート７”は一部が薄厚に加工されているため、ゴルフボールがプレート７”に当ったときは、プレート７”が撓み、その反発作用によってゴルフボールを打撃方向へと反発力が付加され、打球の飛距離を伸ばす効果がある。またゴルフクラブのスイング時には、プレート７”の両側に設けた透孔７４，７４から貫通孔５を通して空気が通過することによって空気抵抗が減少し、ヘッド１のトップスピードが上がり打撃力が増すため、打球の飛距離向上に効果がある。またバンカーショット時には前記の空気と同様に、バンカーの砂がフェースに設けたプレート７”の両側に設けた透孔７４，７４から貫通孔５を通ることにより、ゴルフボールとフェース部間の砂の抵抗を低減し、最適に近いエクスプロージョンショットを行うことができる。
【図面の簡単な説明】
【００２４】
【図１】バンカーショットを説明するための概略説明図。
【図２】本発明の実施例１を示す正面図。
【図３】図２中に示すＡ−Ａ線断面図。
【図４】本発明の他の実施例２を示す正面図。
【図５】図４中に示すＢ−Ｂ線断面図。
【図６】本発明の他の実施例３を示す正面図。
【図７】図６中に示すＣ−Ｃ線断面図。
【図８】図６中に示すＤ−Ｄ線断面図。
【符号の説明】
【００２５】
１      ヘッド
２      フェイス部
７      プレート
７１    矩形孔
Ｘ      インパクト領域
【図１】
2008194116.tif 000003
【図２】
2008194116.tif 000004
【図３】
2008194116.tif 000005
【図４】
2008194116.tif 000006
【図５】
2008194116.tif 000007
【図６】
2008194116.tif 000008
【図７】
2008194116.tif 000009
【図８】
2008194116.tif 000010